(57)【要約】【課題】飲食物の摂取量の算出をするとともに、この飲食物を摂取するユーザの個々の事情に応じた情報を提供することを課題とする。【解決手段】所定期間内に摂取する飲食物栄養補助食品の熱量、各栄養素及び成分の含有量から構成される栄養価量を加算して摂取量を算出する携帯端末装置であって、この摂取量を算出するユーザが上記所定期間内に摂取すべき基準となる基準摂取量を記憶する記憶手段と、飲食物の栄養価量データを記憶させた記録媒体から、この栄養価量データを読み取る読取手段と、上記所定期間内にユーザがこの読取手段によって摂取する飲食物の栄養価量を加算して摂取量を算出するとともに、この摂取量と上記基準摂取量との差分量を算出する算出手段と、算出された摂取量及び差分量を表示する表示手段とを有する携帯端末装置を提供する。 【選択図】図１
2007286985.tif 000002
【特許請求の範囲】
【請求項１】
所定期間内に摂取する飲食物、栄養補助食品の熱量、各栄養素及び成分の含有量から構成される栄養価量を加算して摂取量を算出する携帯端末装置であって、この摂取量を算出するユーザが上記所定期間内に摂取すべき基準となる基準摂取量を記憶する記憶手段と、飲食物の栄養価量データを記憶させた記録媒体から、この栄養価量データを読み取る読取手段と、上記所定期間内にユーザがこの読取手段によって摂取する飲食物の栄養価量を加算して摂取量を算出するとともに、この摂取量と上記基準摂取量との差分量を算出する算出手段と、算出された摂取量及び差分量を表示する表示手段とを有することを特徴とする携帯端末装置。
【請求項２】
上記読取手段が、飲食物や栄養補助食品用のパッケージ、カタログ、レストランメニューなどに貼付されたＩＣタグ又はバーコードに記録された上記栄養価量データを読取ることができるＩＣタグリーダ又はバーコードリーダであることを特徴とする請求項１記載の携帯端末装置。
【請求項３】
上記差分量が、所定の数値に達しているか否か、または所定の数値範囲内にあるか否かを判定する判定手段と、所定の数値に達していないか、所定の数値範囲内にないと判断した場合には、摂取量に過不足が発生している旨の通知を生成する通知生成手段とを有し、生成された通知を上記表示手段によって表示させることを特徴とする請求項１又は請求項２に記載の携帯端末装置。
【請求項４】
上記算出手段は、上記摂取量の算出後、加算された栄養価量を減算することができるように構成されたことを特徴とする請求項１から請求項３までに記載の携帯端末装置。
【請求項５】
上記所定期間内の摂取量の履歴を蓄積する蓄積手段を有し、この所定期間内の任意の時点での閲覧要求に応じて摂取量の履歴を上記蓄積手段から読出し、上記表示手段により表示させて閲覧できるように構成されたことを特徴とする請求項１から請求項４までのいずれかに記載の携帯端末装置。
【請求項６】
上記読取手段が、市販薬剤の成分を記録した記録媒体から成分データを読取り、上記算出手段で摂取する成分量を算出し、上記表示手段でこの算出された成分量を上記摂取量として表示するように構成されたことを特徴とする請求項１から請求項５までのいずれかに記載の携帯端末装置。
【請求項７】
インターネット網等の上記通信ネットワーク網を介して上記携帯端末装置から上記摂取量を算出した飲食物、栄養補助食品及び市販薬剤に関する情報の閲覧要求信号を受信する送受信手段と、この飲食物、栄養補助食品及び市販薬剤に関する情報を記憶する飲食物等情報記憶手段と、この飲食物等情報記憶手段から上記閲覧要求されている飲食物、栄養補助食品及び市販薬剤の情報を読出し、飲食物等情報を生成する飲食物等情報生成手段とを有し、この生成された飲食物等情報を上記携帯端末装置の表示手段に表示させるために、上記送受信手段により上記通信ネットワーク網を介して携帯端末装置に送信するように構成されたことを特徴とするサーバ。
【請求項８】
上記飲食物等情報は、摂取量の過不足が生じた場合の障害情報、他の飲食物、栄養補助食品、または薬剤との食べ合わせに関する情報、添加物情報、複数の薬の飲み合わせに関する情報、摂取制限が課されている病名情報、レシピ情報のうち、１以上の情報を含むことを特徴とする請求項６記載のサーバ。
【請求項９】
上記携帯端末装置の記憶手段と算出手段と判定手段と通知生成手段と蓄積手段とを有し、携帯端末装置から、上記通信ネットワーク網を介して上記読取手段によって読取られた栄養価量を受信すると、上記各手段による処理を請求項１から請求項５に記載の携帯端末装置に代わって行うとともに、上記携帯端末装置の表示手段で上記摂取量、差分量、通知、摂取量、成分量の履歴を表示させるために、上記送受信手段により、上記通信ネットワーク網を介してこれらのデータを携帯端末装置に送信するように構成されたことを特徴とする請求項６又は請求項７記載のサーバ。
【請求項１０】
上記携帯端末装置とサーバとから構成された飲食物等の摂取量算出システム。
【請求項１１】
携帯電話またはＰＤＡ（パーソナルディジタルアシスタント）を請求項１から請求項５に記載の携帯端末装置として機能させることを特徴とするコンピュータもしくは携帯端末装置で読取り可能なプログラム。
【発明の詳細な説明】
【技術分野】
【０００１】
本発明は、飲食物の摂取量、特に、熱量及び各栄養素の含有量から構成される栄養価量を算出する携帯端末装置、サーバ及びシステムに関する。
【背景技術】
【０００２】
近年、健康志向の増大、ダイエットブームなどにより、購入する飲食物の選択、レストランなどでオーダーする食事の選択の判断要素として、熱量（カロリー）及び栄養素（たんぱく質、脂肪、炭水化物、ミネラル、ビタミンなど）の含有量などの栄養価量が重要な比重を占めるようになっている。実際に店舗などで消費者が飲食物を購入する際に、パッケージに印刷された栄養価量をチェックすることも日常的に散見されるところである。
【０００３】
しかし、複数の飲食物を購入する場合に、上記栄養価量を暗算または持参した電卓などで合計し、総摂取量を算出するのは複雑かつ煩雑であり、現実的ではない。
【０００４】
そこで、従来、食品のカロリー計算を行なうカロリー計算ホームページにアクセスするためのアクセス情報とこの食品情報を記憶した記憶体（バーコード、ＩＣタグなど）を備えた上記食品のパッケージから読取手段によってこれらの情報を読み取り、このアクセス情報に基づいて、携帯端末でカロリー計算ホームページにアクセスし、このカロリー計算ホームページで算出された計算結果を上記携帯端末に表示させるカロリー計算方法、カロリー計算システムが提案されている（例えば、特許文献１参照）。
【０００５】
この発明によれば、購入、オーダーする飲食物の摂取量の計算は、上記カロリー計算ホームページが実行してくれるので、消費者は、複雑かつ煩雑な計算しなくても、簡単に摂取量を算出することができる。
【特許文献１】特願２００４−５４６０９（請求項１乃至請求項６の記載）
【発明の開示】
【発明が解決しようとする課題】
【０００６】
しかしながら、上記従来の飲食物の摂取量を算出する計算方法及び計算システムでは、読取った栄養価量を加算するだけなので、算出された摂取量がそのユーザにとって、適切な量なのか、取り過ぎなのか、不足しているのか、がわからないという不都合があった。
【０００７】
さらに、たとえば、特定の飲食物の過不足によってもたらされる障害や飲食物相互の食べ合わせの問題など、摂取量の算出だけでは、健康に関する情報、ダイエット情報としては不十分な場合があった。
【０００８】
特に、通常の食事の他に、栄養補助食品を摂取することによって過剰摂取になり、かえって障害を引き起こす例は枚挙にいとまがない。
【０００９】
薬剤については、医師が薬剤を処方する場合に、患者の市販薬剤の摂取状況を正確に把握する必要がある。
【００１０】
そこで、本発明は、上記問題点に鑑み、飲食物、栄養補助食品及び市販薬剤の摂取量の算出をするとともに、飲食物等を摂取するユーザの個々の事情に応じた情報の提供が可能な携帯端末装置、サーバ及びシステムの提供を課題とする。
【課題を解決するための手段】
【００１１】
上記課題を解決するため、本発明にかかる携帯端末装置は、所定期間内に摂取する飲食物、栄養補助食品の熱量、各栄養素及び成分の含有量から構成される栄養価量を加算して摂取量を算出する携帯端末装置であって、この摂取量を算出するユーザが上記所定期間内に摂取すべき基準となる基準摂取量を記憶する記憶手段と、飲食物の栄養価量データを記憶させた記録媒体から、この栄養価量データを読み取る読取手段と、上記所定期間内にユーザがこの読取手段によって摂取する飲食物の栄養価量を加算して摂取量を算出するとともに、この摂取量と上記基準摂取量との差分量を算出する算出手段と、算出された摂取量及び差分量を表示する表示手段とを有することを特徴とする。
【００１２】
この構成によれば、個々のユーザの所定期間内における飲食物等の摂取量を算出するとともに、このユーザが所定期間内に摂るべき必要摂取量と上記摂取量との差分量も算出されるので、所定期間内に過不足が生じた各ユーザの栄養価量が明示され、各ユーザは、摂取すべき栄養価量の指標を入手することが可能になる。
【００１３】
上記読取手段は、飲食物や栄養補助食品用の用パッケージ、カタログ、レストランメニューなどに貼付されたＩＣタグ又はバーコードに記録された上記栄養価量データを読取ることができるＩＣタグリーダ又はバーコードリーダであればよい。このＩＣタグリーダ、バーコードリーダは、通信端末装置に内蔵したもの、外付けで接続されたもののいずれでもよい。
【００１４】
上記携帯端末装置は、上記差分量が、所定の数値に達しているか否か、または所定の数値範囲内にあるか否かを判定する判定手段と、所定の数値にたっしていないか、所定の数値範囲内にないと判断した場合には、摂取量に過不足が発生している旨の通知を生成する通知生成手段とを有し、生成された通知を上記表示手段によって表示させるように構成されたものであってもよい。
【００１５】
この構成によれば、所定期間内における各ユーザの摂取量の過不足を所定の数値に達しているか否か、または、所定の数値範囲内か否かで判断し、その判断を上記通知によってユーザに知らせることができる。この通知は、テキスト、音声、画像及びこれらの組み合わせのいずれであってもよい。
【００１６】
上記算出手段によって摂取量を算出した後、加算された栄養価量を減算することができるようにしてももよい。たとえば、複数の飲食物の栄養価量の累計を算出する途上で、加算した飲食物の栄養価量の一部を減算し、再度別の飲食物を加算する場合、最初から算出し直すのでは手間がかかり効率的ではない。そこで、この一部の飲食物の栄養価量だけ減算できるようにすればよい。
【００１７】
上記所定期間内の摂取量の履歴を蓄積する蓄積手段を有し、この所定期間内の任意の時点での閲覧要求に応じて摂取量の履歴を上記蓄積手段から読出し、上記表示手段により表示させて閲覧できるように構成されたものであってもよい。たとえば、所定期間満了前に、現時点での摂取量を閲覧できれば、残存期間で摂取できる栄養価量をいつでも参照することができる。
【００１８】
上記読取手段は、市販薬剤の成分を記録した記録媒体から成分データを読取り、上記算出手段で摂取する成分量を算出し、上記表示手段でこの算出された成分量を上記摂取量として表示するようにしてもよい。
【００１９】
上記課題を解決するため、本発明にかかるサーバは、インターネット網等の上記通信ネットワーク網を介して上記携帯端末装置から上記摂取量を算出した飲食物、栄養補助食品及び市販薬剤に関する情報の閲覧要求信号を受信する送受信手段と、この飲食物、栄養補助食品及び市販薬剤に関する情報を記憶する飲食物等情報記憶手段と、この飲食物等情報記憶手段から上記閲覧要求されている飲食物、栄養補助食品及び市販薬剤の情報を読出し、飲食物等情報を生成する飲食物等情報生成手段とを有し、この生成された飲食物等情報を上記携帯端末装置の表示手段に表示させるために、上記送受信手段により上記通信ネットワーク網を介して携帯端末装置に送信するように構成されたことを特徴とする。
【００２０】
なお、上記飲食物等情報は、摂取量の過不足が生じた場合の障害情報、他の飲食物、栄養補助食品、または薬剤との食べ合わせに関する情報、添加物情報、複数の薬の飲み合わせに関する情報、摂取制限が課されている病名情報、レシピ情報のうち、１以上の情報を含む。
【００２１】
上記サーバは、携帯端末装置から、上記通信ネットワーク網を介して上記読取手段によって読取られた栄養価量を受信すると、上記携帯端末装置の記憶手段と算出手段と判定手段と通知生成手段と蓄積手段とによる処理を携帯端末装置に代わって行うとともに、上記携帯端末装置の表示手段で上記摂取量、差分量、通知、摂取量、成分量の履歴を表示させるために、上記送受信手段により、上記通信ネットワーク網を介してこれらのデータを携帯端末装置に送信するように構成されたものであってもよい。
【００２２】
上記課題を解決するため、本発明にかかる飲食物等の摂取量算出システムは、上記携帯端末装置とサーバとから構成されたことを特徴とする。
【００２３】
なお、本発明は、携帯電話又はＰＤＡを上記携帯端末装置として機能させることを特徴とするプログラムを記録したコンピュータ読取可能な情報記録媒体の形態で提供するものであってもよい。 
【発明の効果】
【００２４】
以上の説明から明らかなように、本発明にかかる携帯端末装置、サーバ、及びシステムは、飲食物等の摂取量の算出をするとともに、この飲食物を摂取するユーザの個々の事情に応じた情報を提供することができるという効果を奏する。
【００２５】
すなわち、算出された摂取量がそのユーザにとって、適切な量なのか、取り過ぎなのか、不足しているのかを数値で示し、通知することができる。
【００２６】
さらに、たとえば、特定の飲食物の過不足によってもたらされる障害や飲食物等相互の食べ合わせの問題など、健康に関する情報、ダイエット情報などを提供することもできる。
【発明を実施するための最良の形態】
【００２７】
図１を参照して、１は、本発明にかかる携帯端末装置である。携帯端末装置１は、例えば専用機のほか、携帯電話またはＰＤＡであるが、これらに限定する趣旨ではない。
【００２８】
携帯端末装置１は、例えば食品や栄養補助食品、薬剤用のパッケージやレストランのメニューに印刷されたバーコードや付されたＩＣタグなどの記録媒体Ｍに記録されたデータを読取る読取部１１を備えている。読取部１１は、携帯端末装置１に内蔵したものであっても、外付けのものであってもよい。記録媒体Ｍには、少なくとも飲食物やメニューに記載の料理の栄養価量データ（熱量及びたんぱく質、炭水化物、脂肪などの栄養素の含有量、栄養補助食品や薬剤であれば成分量）または栄養補助食品や薬剤の成分データが記録されている。
【００２９】
携帯端末装置１は、読取部１１で読取られた上記栄養価量データまたは成分データの各種処理を実行する制御部１２を有する。制御部１２は、上記読取られた栄養価量または成分量を順次加算して摂取量を算出する算出部１２１と、この携帯端末装置１を使用して飲食物、栄養補助食品、薬剤（以下「飲食物等」という）の摂取量の算出を所望するユーザの基準摂取量（所定期間内に摂取すべき栄養価量）を予め記憶している個人情報記憶部１２２とを有する。
【００３０】
なお、摂取量とは、実際に摂取した栄養価量の合計、または摂取する前に上記読取部１１で読取られた栄養価量の合計をいう。また、基準摂取量とは、ユーザが任意に設定したもの、医師やインストラクターなどの助言により、指定されたものの双方を含む。
【００３１】
なお、この基準摂取量として、「栄養所要量」を使用してもよい。「栄養所要量」とは、健康人を対象として、国民の健康の保持・増進、生活習慣病予防のために標準となるエネルギー及び各栄養素の摂取量を示すものをいう。
【００３２】
具体的な「栄養所要量」の算定は、原則として、特定の年齢層や性別集団の摂取する必要量を測定し、その集団における５０％の人が上記必要量を満たすと推定される１日の摂取量を「平均必要量」とし、「平均必要量＋標準偏差の２倍（２ＳＤ）」によって算出する。
【００３３】
所定期間とは、１日、１週間、１ヶ月、１年というように上記ユーザが任意に設定した期間をいう。
【００３４】
上記算出部１２１は、ユーザ情報記憶部１２２に記憶された基準摂取量から上記算出された摂取量を減算して差分量の算出も可能である。
【００３５】
算出された差分量から、基準摂取量と比較して栄養価量の過不足が生じているか否かを判定する過不足判定部１２３で判定処理がなされ、過不足がないと判定した場合には、上記算出された上記差分量だけの通知を生成する。一方、過不足が生じていると判定した場合には、文字（電子メールを含む。）、音声、画像等によって過不足が生じている旨の通知を通知生成部１２４で生成する。この差分量によって過不足が生じているかどうかの判定は、差分量が所定の数値を示した場合のほか、所定の数値範囲を設定し、この範囲内に差分量が含まれるかどうかで判定してもよい。この所定の数値、または所定の数値範囲は、予め過不足判定部２３で設定されている。
【００３６】
さらに、算出部１２１は、摂取量の算出後、または差分量の算出後、一旦加算された栄養価量をユーザの選択により、キャンセルして減算することもできる。たとえば、摂取する前に加算して、栄養価量に過不足が生じた場合に、別の飲食物等に変更するときには、一旦加算した栄養価量を算出部１２１で減算すればよい。
【００３７】
上記生成された通知の表示は、携帯端末装置１の表示部１４で行なわれる。表示部１４は、上記通知の種類に応じて画面、スピーカ及びその双方のいずれであってもよい。
【００３８】
制御部１２は、上記所定期間内に摂取量として加算された栄養価量を蓄積する履歴情報蓄積部１２５有する。この携帯端末装置１のユーザが、上記所定期間内における任意の時点での自己の摂取量の閲覧要求をすると、履歴情報蓄積部１２５から摂取量の履歴データを読出し、最新の摂取量の合計値又は今までの摂取量の内訳を例えば時系列に並べて閲覧できるように表示部１４で表示させる。
【００３９】
携帯端末装置１は、送受信部１３によってインターネット網等の通信ネットワーク網Ｎと接続可能である。例えば、インターネット網との接続は、携帯端末装置１が携帯電話の場合、実際には、図示しない基地局、携帯電話交換機、ＩＳＰを介してインターネット網に接続される。
【００４０】
携帯端末装置１で上記摂取量の算出をしたユーザは、サーバ２に対し、ネットワーク通信網Ｎを介して摂取する（あるいは摂取した）飲食物等に関する情報の閲覧要求をすることができる。
【００４１】
なお、ユーザが、携帯端末装置１からサーバ２にアクセスする場合には、閲覧要求の信号とともに、サーバ２へのアクセス権を確認するためのユーザコードも送信する。また、摂取量の算出に関連した飲食物等に関する情報の閲覧をするために、上記閲覧要求の信号とともにその飲食物等の製造販売等をする業者コードも送信する。
【００４２】
サーバ２は、ユーザの個人情報を蓄積するユーザ情報データベース２１と、上記業者の情報を蓄積する業者情報データベース２２と、上記ユーザの過去の摂取量データを蓄積する履歴情報データベース２３と、飲食物等に関する情報を蓄積する飲食物等情報データベース２４とを有する。
【００４３】
サーバ２の送受信部２２で、上記ユーザからの閲覧要求信号及びユーザコード、業者コードを受信すると、サーバ２では、送信されたユーザコードがアクセス権のあるものかどうかを確認するために、ユーザコードと個人情報データベース２１のデータとを照合する。同様に、ユーザが閲覧要求を所望する飲食物等に関する情報について、その飲食物等を製造販売等行なう登録された業者かどうかを確認するために、業者コードと業者情報データベース２２のデータとを照合する。
【００４４】
閲覧要求された飲食物等の情報は、飲食物情報データベース２４から読み出される。読み出された飲食物等情報は、携帯端末装置１で閲覧可能なようにデータが生成され、通信ネットワーク網Ｎを介して送受信部２２から携帯端末装置１に送信される。
【００４５】
ところで、本実施の形態では、読取部１１で読取られた記録媒体Ｍのデータを携帯端末装置１の制御部１２で各種処理するようにしているが、携帯端末装置１は、読取部１１と送受信部１３と表示部１４とのみを有し、制御部１２で実行される処理は、サーバ２が代行するようにしてもよい。すなわち、携帯端末装置１が本実施の形態のように、制御部１２を有しないものであっても、上記記録媒体Ｍに記録されたデータを読取り、読取ったデータを通信ネットワーク網Ｎを介して送受信部１３から送信すると、サーバ２の送受信部２２で受信し、ＣＰＵ２３で、上記携帯端末装置１の算出部１２１と通知生成部１２４と同様の機能を有する算出部２３１、通知生成部２３２によって各種処理を実行する。なお、携帯端末装置１のユーザ情報記憶部１２２と履歴情報蓄積部１２５は、上記ユーザ情報データベース２１及び履歴情報データベース２３によって代行される。
【００４６】
本実施の形態では、ユーザ情報データベース２１、業者情報データベース２２、履歴情報データベース２３及び飲食物情報データベース２４は、サーバ２に外付けで設けられているが、サーバ２がこれらのデータベースを有するようにしてもよい。
【００４７】
携帯端末装置１は、上記ユーザが所有するパーソナルコンピュータ（図示せず）との間で通信可能であり、このパーソナルコンピュータからも上記算出結果や履歴情報を閲覧できるようにしてもよい。
【００４８】
上記読取部１１は、市販薬剤の成分を記録した記録媒体Ｍから成分データを読取り、上記算出部１２１で摂取する成分量を算出し、上記表示部１４でこの算出された成分量を上記摂取量として表示するようにしてもよい。この場合、医師の電子カルテなどにこれらの市販薬剤の摂取量データを転送することができるようにしてもよい。
【００４９】
図２は、図１で説明したユーザ情報データベース２１、業者情報データベース２２、履歴情報データベース２３及び飲食物等情報データベース２４のデータテーブルの例を説明したものである。
【００５０】
図２（ａ）は、ユーザ情報データテーブルである。各ユーザは、摂取量の算出を実行する前、または同時に以下の項目から構成されるユーザ情報を登録をしなければない。各ユーザの情報は、各ユーザにユニークに割り当てられる個人ＩＤと、各ユーザの氏名と、所定期間内の基準摂取量（本実施の形態では、所定期間は週であるが、上記の通り、この期間に限定される趣旨ではない）とから構成されている。さらに、病歴情報、投与薬剤情報、健康データ情報などを追加してもよい。
【００５１】
図２（ｂ）は、業者情報データテーブルである。各業者は、自己が取り扱う飲食物等のデータを記録媒体Ｍに記録して、市場等で頒布する前に、以下の項目から構成される業者情報を登録しなければならない。各業者の情報は、各業者にユニークに割り当てられる業者ＩＤと、各業者の名称と、取り扱う飲食物等ＩＤと、業者別飲食物等情報とから構成されている。
【００５２】
図２（ｃ）は、履歴情報データテーブルである。上記各ユーザが、所定期間（本実施の形態では１週間）読取った栄養価量の履歴データである。個人ＩＤごとに、１週間の日付と各日付ごとのカロリー、たんぱく質、脂肪、炭水化物の摂取量を記録するようになっている。なお、履歴を閲覧した時点での合計摂取量を併記するようにしてもよい（図示せず）。また、ユーザは、カロリー、たんぱく質、脂肪、炭水化物の項目を任意に指定して指定したものだけが携帯端末装置１に表示させるようにすることも可能である。栄養価量を示す項目は、カロリー、たんぱく質、脂肪、炭水化物に限定する趣旨ではなく、たとえば、ビタミン、無機質、必須アミノ酸などを追加してもよい。
【００５３】
図２（ｄ）は、障害情報データテーブルである。これは、飲食物等情報データベース２４の一例を示すものであり、これに限定される趣旨ではない。従って、飲食物等情報として、たとえば、他に、他の飲食物、栄養補助食品、または薬剤との食べ合わせに関する情報、添加物情報、複数の薬の飲み合わせに関する情報、摂取制限が課されている病名情報、レシピ情報などを単独もしくは複数で提供するようにしてもよい。
【００５４】
本実施の形態では、たとえば、ユーザが、図１で説明した差分量の値によって栄養価の過不足についての通知がなされた場合に、その過不足によってもたらされる障害（例えば病気）についての情報を提供するためのデータテーブルである。上記通知で摂取した栄養価を「過剰」と「不足」に分類し、それぞれ異なるコードを割り付けて、ユーザがこの通知を返信としてサーバ２に返すと、「過剰」「不足」のいずれかのデータを読み出し、携帯端末装置１で閲覧できるように上記障害に関する情報を送信する。
【００５５】
図３は、携帯端末装置１の処理フローを示したフロー図である。ユーザデータが登録されているユーザが、食品パッケージやレストランのメニューに印刷されたバーコードや付されたＩＣタグなどの記録媒体Ｍに記録された栄養価データを携帯端末装置１の読取部１１で読取ると（Ｓ１）、栄養価データは、制御部１２に転送され、算出部１２１で読取られた摂取量を所定期間内に摂取した栄養価量に加算して、摂取量の算出を実行する（Ｓ２）。
【００５６】
制御部１２では、ユーザ情報記憶部１２２から、上記基準摂取量を読み出す（Ｓ３）。算出部１２１では、上記算出された摂取量と読み出された基準摂取量との差分量を算出する（Ｓ４）。
【００５７】
算出された差分量は、過不足判定部１２３で所定の数値に該当するか否か、又は所定の数値範囲に属するか否かを判定する（Ｓ５）。過不足判定部１２３で過不足が生じていると判定された場合は、過不足の旨の通知を通知生成部１２４で生成する（Ｓ６）。一方、過不足が生じていないと判定された場合は、上記算出結果情報を生成する（Ｓ７）。Ｓ６又はＳ７で生成された通知又は情報は、表示部１４でそれぞれ表示される（Ｓ８，Ｓ９）。
【００５８】
表示された通知又は情報を見たユーザが、上記算出し、摂取した飲食物等の情報の閲覧を所望するかしないかを選択することができる（Ｓ１０）。閲覧を所望する場合には、携帯端末装置１の送受信部１４から通信ネットワーク網Ｎを介してサーバ２に閲覧要求の信号を送信する（Ｓ１１）。
【００５９】
サーバ２側では、この閲覧要求信号を受信すると（Ｓ１２）、飲食物等情報データベース２４から飲食物等情報を読出し（Ｓ１３）、携帯端末装置１で閲覧可能なように飲食物等情報を生成する（Ｓ１４）。生成された飲食物等情報は、サーバ２の送受信部２２から通信ネットワーク網Ｎを介して携帯端末装置１に送信される（Ｓ１５）。
【００６０】
携帯端末装置１の送受信部１４でこの飲食物等情報を受信すると（Ｓ１６）、表示部１４で飲食物等情報が表示され閲覧することができる（Ｓ１７）。
【００６１】
なお、上記ユーザ情報データベース２１の病歴情報、投与薬剤情報、健康データ情報などと飲食物等情報データベース２４とを連携させ、個人ＩＤをサーバ２に送信すれば、この個人の病歴などから、個人に適した情報を飲食物等データベースの中から読出して、そのユーザ用に表示データを生成することも可能である。
【００６２】
上記処理フローの任意の時点で、ユーザは携帯端末装置１の履歴情報蓄積部１２５から上記所定期間内における自己の摂取量の履歴情報を読み出して履歴情報を閲覧することができる（図示せず）。
【００６３】
図３では、携帯端末装置１に制御部１２（算出部１２１、ユーザ情報記憶部１２２、過不足判定部１２３、通知生成部１２４、履歴情報部１２５）を有するが、携帯端末装置１が、読取部１１と送受信部１３と表示部１４のみを有し、上記制御部１２で実行される処理については、サーバ２が代行するようにしてもよい。すなわち、携帯端末装置１の送受信部１３から読取部１１で読み込まれたデータを通信ネットワーク網Ｎを介してサーバ２に送信されると、算出部１２１の処理をサーバ２の算出部２３１で実行し、ユーザ情報記憶部１２２の処理をユーザ情報データベース２１で実行し、過不足判定部１２３の処理をサーバ２の過不足判定部２３２で実行し、通知生成部１２４の処理をサーバ２の通知生成部２３３で実行し、履歴情報部１２５の処理を履歴情報データベース２３で実行することができる。
【００６４】
なお、本発明は、上記携帯端末装置１及びサーバ２から構成されるシステムとして提供される形態のものであってもよい。
【００６５】
さらに、携帯端末装置１が、たとえば携帯電話やＰＤＡの場合、携帯端末装置１として機能させることを特徴とするコンピュータもしくは携帯端末装置で読取り可能なプログラムという形態で提供されるものであってもよい。  
【図面の簡単な説明】
【００６６】
【図１】携帯端末装置及びサーバの機能構成図
【図２】（ａ）ユーザ情報データテーブル（ｂ）業者情報データテーブル（ｃ）履歴情報データテーブル（ｄ）障害情報データテーブル
【図３】本発明にかかる携帯端末装置による処理フローを示す図
【符号の説明】
【００６７】
１  携帯端末装置
２    サーバ
１１  読取部
１２  制御部
１３  送受信部
１４  表示部
２１  個人情報データベース
２２  業者情報データベース
２３  履歴情報データベース
２４  飲食物情報データベース
【図１】
2007286985.tif 000003
【図２】
2007286985.tif 000004
【図３】
2007286985.tif 000005